(57)【特許請求の範囲】
【請求項１】
身体接触パートと身体非接触パートという二つのモジュールにより構成される吸収体物品であって、
前記身体接触パートが、
前後方向に延在し、少なくとも一部に伸縮性を有する左右一対の頭部と、前記左右一対の頭部に左右両縁が結合し、中央部が着用時に下側に垂れ下がるキャナルシートとを有する、キャナル部材と、
前身頃を被覆する前方被覆部と、後身頃を被覆する後方被覆部とを有し、着用時に、前記キャナル部材の前記頭部が着用者の肌に接触するように、前記キャナル部材を着用者の身体に固定する、固定部材と
を有し、
前記身体非接触パートが、
体液の漏れを防ぐシート状の防漏体と、
前記防漏体の上側に配置された体液を吸収しうる吸収体と
を有し、
前記キャナルシートの上側から前記吸収体の表面に体液を移送する通路が設けられており、
前記キャナルシートの下面の一部と前記吸収体の表面の一部とが結合し、かつ、股下部においては、前記身体非接触パートは、前記キャナルシートの前記下面の前記一部と前記吸収体の前記表面の前記一部との間でのみ結合されており、
着用時に、前記吸収体が着用者の肌と離間した状態を保つようにされており、
着用者が体液を排出した場合、排出された体液が、前記キャナルシートの上側に受容され、その後、前後方向に移動しつつ、前記キャナルシートの上側から前記通路を通じて前記吸収体の表面に移送される、吸収体物品。
【請求項２】
前記キャナルシートの下面の左右方向の中央部の一部と、前記吸収体の表面の一部とが、底面結合部において結合している、請求項１に記載の吸収体物品。
【請求項３】
前記底面結合部が、股下部を含む領域で、前後方向に延在する、請求項２に記載の吸収体物品。
【請求項４】
前記キャナルシートの下面の左右縁部付近の一部と、前記吸収体の表面の一部とが、左右の側面結合部において結合している、請求項２又は３に記載の吸収体物品。
【請求項５】
前記左右の側面結合部が、股下部を含む領域で、前後方向に延在する、請求項４に記載の吸収体物品。
【請求項６】
前記前方被覆部と前記後方被覆部とを着脱可能に結合させる着脱部材を有する、請求項１〜５のいずれかに記載の吸収体物品。
【請求項７】
前記前方被覆部と前記後方被覆部とが一体化し、着用時に、着用者の腹部の周囲を被覆する、請求項１〜５のいずれかに記載の吸収体物品。
【請求項８】
前記キャナルシートの少なくとも一部が液不透過性である、請求項１〜７のいずれかに記載の吸収体物品。
【請求項９】
前記固定部材の少なくとも一部が液不透過性である、請求項１〜８のいずれかに記載の吸収体物品。
【請求項１０】
前記防漏体の左右縁部に、その前後方向の長さを縮める作用を奏する伸縮体を有する、請求項１〜９のいずれかに記載の吸収体物品。
【請求項１１】
前記防漏体が、着用時に、少なくとも股下部において、下側に凸状の形状となる、請求項１〜１０のいずれかに記載の吸収体物品。
【請求項１２】
着用時に、前記吸収体の表面と着用者の肌との距離が５ｍｍ以上となる、請求項１〜１１のいずれかに記載の吸収体物品。
【請求項１３】
請求項１〜１２のいずれかに記載の吸収体物品を製造する、吸収体物品の製造方法であって、
前記身体接触パート及び前記身体非接触パートをそれぞれ形成する工程と、
その後、前記身体接触パートと前記身体非接触パートとを結合させる工程と
を有する、吸収体物品の製造方法。
【発明の詳細な説明】
【技術分野】
【０００１】
本発明は、吸収体物品及びその製造方法に関する。
【背景技術】
【０００２】
吸収体物品は、おむつ（子供用及び大人用おむつ）、生理用ナプキン、失禁対策商品、トレーニングパンツ等の着用者から排出された体液を、高吸収性樹脂（以下「ＳＡＰ」ともいう。）やフラッフ状にした木材パルプ等を用いた吸収体により、吸収し、処理する物品である。【０００３】
従来の吸収体物品においては、体液は、着用者の排出器から直接に吸収体の表面に排出され、吸収体の表面における拡散と吸収体の表面から内部への移行とにより、吸収体に吸収され、処理される。
したがって、吸収体物品からその外部への体液のリーク（漏れ）を防ぐためには、吸収体物品と着用者の身体との間に間隙が生じないように、吸収体の表面と着用者の肌、特に、排出器とを密着させることが必要であった。
しかしながら、このような状態で吸収体物品を使用すると、体液の排出後には、着用者の肌が体液で濡れている吸収体の表面に密着した状態となる。着用者の肌が体液に接触している状態が長時間続くと、着用者にとって不快であるだけでなく、皮膚を膨化させ、細菌増殖の原因となり、かぶれや炎症を引き起こす事態を招くことにもなるという問題点があった。【０００４】
本発明者は、このような従来の吸収体物品の問題点を解決するための新しい提案として、吸収体、特に、着用者の排泄器に相当する位置であるクロッチ部（股下部）に体液を直接に移行させないように、吸収体の前後に体液の移動、分配を可能にするユニットを吸収体の表面と着用者の肌との間に新たに導入することにより、排出された体液と着用者の肌との接触を効果的に回避する手法を提案した。
特許文献１においては、前記ユニットは、フローティングレッグギャザー（ＦＬＧ）として提案されている。特許文献２においては、前記ユニットは、体液の移動通路として提案されている。特許文献３においては、前記ユニットは、体液の受容キャナルとして提案されている。これらの提案に係るユニットは、いずれも、左右一対の頭部と左右一対の頭部に結合されて、垂下する垂下部とを持ち、左右一対の頭部のみが着用者の肌に接触する点で共通するものである。
【先行技術文献】
【特許文献】
【０００５】
【特許文献１】特許第５０８６４９２号公報
【特許文献２】特許第５２３６１２１号公報
【特許文献３】特許第５２３６１２２号公報
【発明の概要】
【発明が解決しようとする課題】
【０００６】
本発明者は、特許文献１〜３に記載された、各種のユニットを有する吸収体物品の研究を進めたところ、着用時においてユニットの立体構造をより安定的に存在させ、ひいては排出された体液と着用者の肌との接触をより効果的に回避することができるのではないかと考えた。
【課題を解決するための手段】
【０００７】
本発明者は、吸収体物品を、吸収体を有しない「身体接触パート」と、吸収体を有する「身体非接触パート」との二つの主な構成要素にモジュール化すること等により、ユニットの立体構造をより安定的に存在させ、ひいては排出された体液と着用者の肌との接触をより効果的に回避することができることを見出し、本発明を完成させた。【０００８】
すなわち、本発明は、以下の（１）〜（１５）を提供する。
（１）身体接触パートと身体非接触パートという二つのモジュールにより構成される吸収体物品であって、
前記身体接触パートが、
前後方向に延在し、少なくとも一部に伸縮性を有する左右一対の頭部と、前記左右一対の頭部に左右両縁が結合し、中央部が着用時に下側に垂れ下がるキャナルシートとを有する、キャナル部材と、
着用時に、前記キャナル部材の前記頭部が着用者の肌に接触するように、前記キャナル部材を着用者の身体に固定する、固定部材と
を有し、
前記身体非接触パートが、
体液の漏れを防ぐシート状の防漏体と、
前記防漏体の上側に配置された体液を吸収しうる吸収体と
を有し、
前記キャナルシートの上側から前記吸収体の表面に体液を移送する通路が設けられており、
前記キャナルシートの下面の一部と前記吸収体の表面の一部とが結合しており、
着用時に、前記吸収体が着用者の肌と離間した状態を保つようにされており、
着用者が体液を排出した場合、排出された体液が、前記キャナルシートの上側に受容され、その後、前後方向に移動しつつ、前記キャナルシートの上側から前記通路を通じて前記吸収体の表面に移送される、吸収体物品。
（２）前記キャナルシートの下面の左右方向の中央部の一部と、前記吸収体の表面の一部とが、底面結合部において結合している、上記（１）に記載の吸収体物品。
（３）前記底面結合部が、股下部を含む領域で、前後方向に延在する、上記（２）に記載の吸収体物品。
（４）前記キャナルシートの下面の左右縁部付近の一部と、前記吸収体の表面の一部とが、左右の側面結合部において結合している、上記（２）又は（３）に記載の吸収体物品。
（５）前記左右の側面結合部が、股下部を含む領域で、前後方向に延在する、上記（４）に記載の吸収体物品。
（６）前記固定部材が、前身頃を被覆する前方被覆部と、後身頃を被覆する後方被覆部とを有する、上記（１）〜（５）のいずれかに記載の吸収体物品。
（７）前記前方被覆部と前記後方被覆部とを着脱可能に結合させる着脱部材を有する、上記（６）に記載の吸収体物品。
（８）前記前方被覆部と前記後方被覆部とが一体化し、着用時に、着用者の腹部の周囲を被覆する、上記（６）に記載の吸収体物品。
（９）前記キャナルシートの少なくとも一部が液不透過性である、上記（１）〜（８）のいずれかに記載の吸収体物品。
（１０）前記固定部材の少なくとも一部が液不透過性である、上記（１）〜（９）のいずれかに記載の吸収体物品。
（１１）前記防漏体の左右縁部に、その前後方向の長さを縮める作用を奏する伸縮体を有する、上記（１）〜（１０）のいずれかに記載の吸収体物品。
（１２）前記防漏体が、着用時に、少なくとも股下部において、下側に凸状の形状となる、上記（１）〜（１１）のいずれかに記載の吸収体物品。
（１３）着用時に、前記吸収体の表面と着用者の肌との距離が５ｍｍ以上となる、上記（１）〜（１２）のいずれかに記載の吸収体物品。
（１４）前記身体接触パートと前記身体非接触パートとが着脱可能である、上記（１）〜（１３）のいずれかに記載の吸収体物品。
（１５）上記（１）〜（１４）のいずれかに記載の吸収体物品を製造する、吸収体物品の製造方法であって、
前記身体接触パート及び前記身体非接触パートをそれぞれ形成する工程と、
その後、前記身体接触パートと前記身体非接触パートとを結合させる工程と
を有する、吸収体物品の製造方法。
【発明の効果】
【０００９】
本発明の吸収体物品は、排出された体液と着用者の肌との接触を効果的に回避することができる。
【図面の簡単な説明】
【００１０】
【図１】本発明の吸収体物品の実施態様の例を示す模式図である。
【図２】テープ型おむつの態様である本発明の吸収体物品におけるＳパートの例を示す模式図である。
【図３】種々のキャナルシートを有するキャナル部材を示す模式的な横端面図である。
【図４】種々の頭部を有するキャナル部材を示す模式図である。
【図５】キャナル部の立体構造が保持されやすい種々のキャナル部材を示す模式図である。
【図６】種々のＳパートを示す模式的な平面図である。
【図７】種々のＲパートを示す模式図である。
【図８】種々のＲパートを示す模式図である。
【図９】種々の本発明の吸収体物品を示す股下部Ｃにおける模式的な横端面図である。
【図１０】種々の本発明の吸収体物品を示す股下部Ｃにおける模式的な横端面図である。
【図１１】本発明の吸収体物品の実施態様の別の例を示す模式図である。
【図１２】本発明の吸収体物品の実施態様の更に別の例を示す模式図である。
【図１３】本発明の吸収体物品の実施態様の更に別の例を示す模式図である。
【図１４】本発明の吸収体物品の実施態様の更に別の例を示す模式図である。
【発明を実施するための形態】
【００１１】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。添付した図面中の各平面図においては、図の左側に吸収体物品等の前側が位置するように図示してある。
また、本明細書においては、「吸収体物品本体」とは、吸収体物品の構成部材である防漏体、防漏体上に設けることができるトップシート、その他吸収体物品に設けることができる各種部材を総称していうものである。これに従い、吸収体物品がおむつである場合は、吸収体物品本体をおむつ本体と呼ぶ。
さらに、本明細書においては、「吸収体の表面」とは、吸収体が露出している場合は、その表面を意味し、吸収体が拡散シート、アクイジションシート、トップシート（サーフェスシート）、コアラップシート等で被覆されている場合は、被覆している拡散シート、アクイジションシート、トップシート（サーフェスシート）、コアラップシート等の表面を意味する。
【００１２】
図１は、本発明の吸収体物品の実施態様の例を示す模式図である。具体的には、図１は、「身体接触パート（Ｓｋｉｎ−ｃｏｎｔａｃｔ  Ｐａｒｔ）」（以下「Ｓパート」ともいう。）と「身体非接触パート（Ｒｅｍｏｔｅ  Ｐａｒｔ）」（以下「Ｒパート」ともいう。）とを有し、ＳパートとＲパートとが一部で結合し、一体化されている子供用パンツ型おむつを示している。
図１（Ａ）は、パンツ型おむつの態様である吸収体物品をその固定部材の左右両側の腰部シール部（図中のＺ及びＺ’）で切断して、吸収体物品に応力を加えて前後方向及び左右方向に引っ張って展開し、ほぼ平面状にした状態（緊張状態）を模式的に示した展開平面図である。図１（Ｂ）は、緊張状態の図１（Ａ）中のＩＢ−ＩＢ線に沿った横端面図である。図１（Ｃ）は、吸収体物品に応力を加えない場合の（弛緩状態の）図１（Ａ）中のＩＣ−ＩＣ線に沿った横端面図である。
【００１３】
図１に示される本発明の吸収体物品１００は、パンツ型おむつとして構成されており、基本的に、前後方向に延在し、少なくとも一部に伸縮性を有する左右一対の頭部１０と、左右一対の頭部１０に左右両縁が結合し、中央部が着用時に下側に垂れ下がるキャナルシート１２とを有する、キャナル部材１４と、着用時に、キャナル部材１４の頭部１０が着用者の肌に接触するように、キャナル部材１４を着用者の身体に固定する、固定部材とを有する、Ｓパートと；体液の漏れを防ぐシート状の防漏体２２と、防漏体２２の上側に配置された体液を吸収しうる吸収体２４とを有する、Ｒパートとを具備する。
【００１４】
左右一対の頭部１０とキャナルシート１２とは、結合部７８において、結合している。
【００１５】
上記固定部材としては、着用時に、着用者の胴回りに位置する前方被覆部１６及び後方被覆部１８が用いられている。前方被覆部１６及び後方被覆部１８は、それぞれ、前端部又は後端部付近に、左右方向に延在するウエストギャザー２０を有し、また、ウエストギャザー２０より前後方向の中央部側に、左右方向に延在するシャーリングギャザー２１を有している。
このように、固定部材が、前身頃を被覆する前方被覆部と、後身頃を被覆する後方被覆部とを有するのは、本発明の好ましい態様の一つである。
【００１６】
前方被覆部１６と後方被覆部１８とは、腰部シール部Ｚ同士、腰部シール部Ｚ’同士で結合して一体化し、着用時に、着用者の腹部の周囲を被覆するようになっている。
このように、前方被覆部と後方被覆部とが一体化し、着用時に、着用者の腹部の周囲を被覆するのは、本発明の吸収体物品の好ましい態様の一つである。これにより、本発明の吸収体物品をパンツ型おむつとすることができる。
【００１７】
キャナルシート１２は、その下面の左右両側が、前方被覆部１６及び後方被覆部１８と、それぞれキャナル部−前端結合部８０及びキャナル部−後端結合部８２で結合している。これらの結合は、キャナル部の前端及び左右縁部に隙間が生じて体液の漏れが発生しないように、密閉シールする役割を果たす。
【００１８】
吸収体２４は、その上面の全体をサーフェスシート２６により被覆されている。
【００１９】
防漏体２２の左右縁部には、前後方向に延在する帯状の伸縮部材２８が設けられている。伸縮部材２８の外側面は、前方被覆部１６及び後方被覆部１８とそれぞれＲパート−前端結合部８６及びＲパート−後端結合部８８において結合している。これらの結合は、ＲパートとＳパートを一体化するためのものであって、外れないようになっていればよく、密閉性は不要である。伸縮部材２８は、吸収体２４の側縁部が下に垂れ下がるのを防止する効果を奏する。伸縮部材２８は、着用者の肌に直接接触する必要はない。
吸収体物品１００は、Ｒパートが伸縮部材２８を有する態様であるが、本発明においては、伸縮部材を有していなくてもよい。
【００２０】
吸収体物品１００においては、キャナルシート１２の上側から吸収体２４の表面に体液を移送する通路として、キャナルシート１２を構成する不織布に、微小開口が設けられている。
【００２１】
キャナルシート１２の下面（キャナルシート１２により構成されるキャナル部の底面の下側面）の一部と吸収体２４の表面（サーフェスシート２６の表面）の一部とは、線状の底面結合部８４で結合している。
Ｓパートの前方被覆部１６及び後方被覆部１８には、それぞれ、Ｒパートの前端部周辺及び後端部周辺が、帯状に、かつ、部分的に結合されている。
これにより、ＳパートとＲパートとが外れないようになっている。
【００２２】
Ｓパートのキャナル部は、図１（Ｃ）に示されるように、弛緩状態では、Ｖ字型又はＵ字型の形状を呈し、少なくとも一部に伸縮性を有する左右一対の頭部１０のみが着用者の肌に接触する。
吸収体２４を有するＲパートは、着用者の肌とは確実に離間するようにされている。これは、ＳパートとＲパートとをそれぞれモジュール化することにより、Ｒパートに含まれる吸収体の重さによって、キャナル部の底面部が下に引っ張られ、キャナル部全体のへたりや変形が少なくなり、特に、股下部ＣにおいてＶ字型又はＵ字型の立体構造を保ちやすくなり、ユニットの立体構造が安定的に存在するためである。
具体的には、着用時に、吸収体（又はそれを被覆するサーフェスシート等）の表面と着用者の肌との距離が５ｍｍ以上となるのが好ましい。
【００２３】
特許文献１〜３に記載の吸収体物品においては、吸収体とＦＬＧ等とが一体化されており、主に吸収体によるＦＬＧ等の部位への物理的拘束が存在しており、立体構造の安定化の障害となっているが、本発明の吸収体物品においては、例えば、吸収体物品１００においては、股下部において底面結合部８４で吸収体２４の表面と接合されているのみであるため、Ｓパートにおけるキャナル部の立体構造が、Ｒパートの影響を受けにくくなっているため、安定的に存在することができる。
このような理由から、キャナルシート１２の側面と吸収体２４を被覆するサーフェスシート２６との間には、間隙が存在するようになる。
【００２４】
吸収体物品１００においては、着用者から排出された体液は、左右一対の頭部１０間の開口からキャナル部の内側に排出されてキャナルシート１２の上側に受容され、その後、キャナル部内を前後方向に移動しつつ、キャナルシート１２の上側から微小開口により構成される通路を通じて吸収体２４の表面に移送される。
この体液の受容及び移動は、キャナル部が安定的に存在するため、極めて円滑に行われる。
【００２５】
本発明においては、ＳパートとＲパートとを別体とすることにより、吸収体の構成、大きさ、形状等を、比較的自由に設計することができる。このため、製品の多様化が容易になる。
従来の吸収体物品においては、吸収体の長さや幅は、吸収体物品の前後方向の長さ及び左右方向の幅の範囲内で、特に、着用者の股下部の狭窄な部位に適合するように設計される必要があった。
本発明においては、吸収体を含むＲパートが、着用者の肌から離間した位置にあるから、股下部の狭窄な部位に適合させる必要はない。例えば、股下部に相当する短い長さにする一方で、左右方向に幅広にすることができる。
【００２６】
また、本発明においては、吸収体物品をＳパート及びＲパートという二つのモジュールにより構成することにより、構造そのものが簡易になり、部材の数や種類の削減や、減量が可能になり、さらに製造コストが安価になる。
【００２７】
以下、Ｓパート及びＲパートについて、詳細に説明する。
【００２８】
１．Ｓパートの全体構成及び存在状態
図２は、テープ型おむつの態様である本発明の吸収体物品におけるＳパートの例を示す模式図である。図２（Ａ）は、Ｓパートに応力を加えて前後方向及び左右方向に引っ張って展開し、ほぼ平面状にした状態（緊張状態）を模式的に示した展開平面図である。図２（Ｂ）は、緊張状態の図２（Ａ）中のＩＩＢ−ＩＩＢ線に沿った横端面図である。図２（Ｃ）は、Ｓパートに応力を加えない場合の（弛緩状態の）図２（Ａ）中のＩＩＣ−ＩＩＣ線に沿った横端面図である。
【００２９】
図２に示されるＳパートＳＰは、前後方向に延在し、少なくとも一部に伸縮性を有する左右一対の頭部１０ａと、左右一対の頭部１０ａに左右両縁が結合し、中央部が着用時に下側に垂れ下がるキャナルシート１２ａとを有する、キャナル部材１４ａと、着用時に、着用者の胴回りに位置して、キャナル部材１４ａの頭部１０ａが着用者の肌に接触するように、キャナル部材１４ａを着用者の身体に固定する、固定部材として機能する前方被覆部１６ａ及び後方被覆部１８ａとを有している。
【００３０】
Ｓパートの前後方向の長さは、吸収体物品の前後方向の長さ（全長）ＬＳに等しく、Ｓパートの左右方向の幅は、吸収体物品の左右方向の幅（全幅）ＷＳに等しく、いずれも、吸収体物品のサイズ（例えば、Ｓサイズ（体重４〜８ｋｇ程度用）、Ｍサイズ（体重６〜１１ｋｇ程度用）、Ｌサイズ（体重９〜１４ｋｇ程度用）、Ｂｉｇサイズ（体重１２〜２０ｋｇ程度用）、スーパーＢｉｇサイズ（体重１３〜２５ｋｇ程度用））に応じて適宜設定することができる。
【００３１】
後方被覆部１８ａの左右両側には、着脱部材３０が設けられている。前方被覆部１６ａの下面には、着脱部材３０と互いに着脱自在となるように、着脱部材（図示せず）が設けられている。これらの着脱部材は、例えば、各種面ファスナーにより構成することができる。具体的には、後方被覆部１８ａの左右両側に設けられる着脱部材３０として、粘着テープ、ベルクロテープ（雄）、前方被覆部１６ａの防漏体１０の下面に設けられる着脱部材として、ＴＬＺ（Ｔａｐｅ  Ｌａｎｄｉｎｇ  Ｚｏｎｅ）（雌）、ＺＬＺ（Ｚｉｐｐｅｒ  Ｌａｎｄｉｎｇ  Ｚｏｎｅ）（雌）を用いることができる。
このように、前方被覆部と後方被覆部とを着脱可能に結合させる着脱部材を有するのは、本発明の好ましい態様の一つである。これにより、本発明の吸収体物品をテープ型おむつとすることができる。
キャナルシート１２ａは、図２（Ｂ）の前方被覆部の横断面図に示されるように、その下面の左右両側が、前方被覆部１６ａと、キャナル部−前端結合部８０ａで結合している。これらの結合は、キャナル部の前端及び左右縁部に隙間が生じて体液の漏れが発生しないように、密閉シールする役割を果たす。具体的には、ホットメルト接着剤等の接着剤により、隙間なく結合させる。
【００３２】
着用時には、図２（Ｃ）に示されるように、左右一対の頭部１０ａからキャナルシート１２ａが垂下する。
キャナルシート１２ａの左右方向の中央付近により構成されるキャナル底面３２と、キャナルシート１２ａの左側の頭部１０ａから垂れ下がった部分により構成されるキャナル左側面部３４と、キャナルシート１２ａの右側の頭部１０ａから垂れ下がった部分により構成されるキャナル右側面部３６とにより、キャナル部が形成されている。
キャナル部は、前後方向において、前身頃Ｆ、股下部Ｃ、後身頃Ｒの三つの領域に区分することができる。
キャナル部は、股下部Ｃにおいて、最も深くなり、断面がＶ字型又はＵ字型となる立体構造を呈する。
【００３３】
２．キャナル部材の構成
（１）キャナルシート
図３は、種々のキャナルシートを有するキャナル部材を示す模式的な横端面図である。
図３（Ａ）に示されるキャナル部材１４ｂは、左右一対の頭部１０ｂに、キャナルシート１２ｂの左右縁部が結合して、断面がＶ字型又はＵ字型となるように、キャナルシート１２ｂの中央部付近が垂れ下がっている。キャナルシート１２ｂの左右縁部は、左右一対の頭部１０ｂを被覆していてもよい。
【００３４】
図３（Ｂ）に示されるキャナル部材１４ｃは、左右一対の頭部１０ｂに、キャナルシート１２ｃの左右縁部が結合して、断面がＶ字型又はＵ字型となるように、キャナルシート１２ｃの中央部付近が垂れ下がっている点で、図３（Ａ）に示されるキャナル部材１０ｂと同様であるが、キャナルシート１２ｃの左右端部は、頭部１０ｂとの結合部から更に内側に延在して垂れ下がっている。
この延在部は、通常は、図３（Ｂ）に示されるように比較的短く設計される。延在部は、体液をキャナル部に受容する場合には、ガイドシートとして働き、また一時的に収容されて、留まっている体液がキャナル部の外にオーバーフローするのを防止する機能も奏する。
キャナルシート１２ｃの左右縁部は、左右一対の頭部１０ｂを被覆していてもよい。
【００３５】
図３（Ｃ）に示されるキャナル部材１４ｄは、左右一対の頭部１０ｂに、キャナルシート１２ｄの左右縁部が結合して、断面がＶ字型又はＵ字型となるように、キャナルシート１２ｄの中央部付近が垂れ下がっている点で、図３（Ａ）に示されるキャナル部材１０ｂと同様であるが、キャナルシート１２ｄの左右端部は、頭部１０ｂとの結合部から更に外側に延在して垂れ下がっている。
この延在部は、図３（Ｃ）に示されるように比較的短く設計することができる。この比較的短い延在部は、頭部１０ｂを越える体液が生じた場合に、その体液を吸収体（図示せず）上に回収する液ガイドの機能を奏する。
延在部が、比較的長く設計される場合には、例えば、キャナル部材１４ｄに吸収体（図示せず）が結合されて配置される際に、その吸収体の側面を被覆する部分として、又はその吸収体の左右縁部と結合される部分として働く。
キャナルシート１２ｄの左右縁部は、左右一対の頭部１０ｂを被覆していてもよい。
【００３６】
キャナルシートの材料としては、不織布を用いることができる。不織布は、比較的目付量が低いのが好ましい。具体的には、目付量１０〜３０ｇ／ｍ2であるのが好ましい。
不織布としては、例えば、合成繊維を原料とする不織布（例えば、ＰＥ、ＰＰ、ＰＥＴ又はこれらの複合繊維を原料とするスパンボンド（ＳＢ）、スパンボンド・メルトブローン積層体（ＳＭＳ、ＳＭＭＳ）等のスパンメルト不織布；カードウェブを結合したスポットボンド不織布、水流絡合（スパンレースともいう。）不織布、エアスルー不織布）を、単独で又は複合させて使用することができる。
上述した合成繊維を原料とする不織布は、通常、疎水性であるので、体液の浸透性を賦与するため界面活性剤で処理するなどの方法により、全面的に又は部分的に親水化加工を施した不織布を用いることもできる。
【００３７】
本発明においてはキャナルシートの上面により構成されるキャナル部の内面側では親水性であり、キャナルシートの下面により構成されるキャナル部の外面側では疎水性であり、かつ、液不透過性である不織布が、キャナルシートとして、好適に用いられる。
この不織布をキャナルシートとして用いると、キャナル部の内面側においては、体液の受容と移動が円滑に行われる。これにより、体液の出口以外の部分からの体液のキャナル部の外への漏れを効果的に防止することができる。
具体的には、例えば、疎水性の不織布（例えば、ＰＰ製ＳＭＳ）に、親水性の不織布（例えば、レーヨン不織布、コットン不織布）又はティッシュペーパーを部分的に積層した積層体が挙げられる。この積層体は、親水性の不織布又はティッシュペーパーの面がキャナル部の内面に、疎水性の不織布の面がキャナル部の外面になるよう配置される。
また、例えば、親水化処理を施された不織布に、疎水性のフィルム（例えば、ＰＥフィルム）を積層した積層体が挙げられる。この積層体は、親水化処理を施された不織布の面がキャナル部の内面に、疎水性のフィルムの面がキャナル部の外面になるよう配置される。
【００３８】
本発明においては、キャナルシートの少なくとも一部が液不透過性であるのが好ましい。この場合、体液の受容と移動がより円滑に行われる。
【００３９】
（２）頭部
図４は、種々の頭部を有するキャナル部材を示す模式図である。図４（Ａ）、図４（Ｃ）、図４（Ｅ）、図４（Ｇ）及び図４（Ｉ）は、それぞれ弛緩状態の横端面図であり、図４（Ｂ）、図４（Ｄ）、図４（Ｆ）、図４（Ｈ）及び図４（Ｊ）は、それぞれ緊張状態の平面図である。
図４（Ａ）及び図４（Ｂ）に示されるキャナル部材１４ｅは、キャナルシート１２ｂ（例えば、ＰＥ／ＰＰスパンボンド不織布。例えば、目付量１５ｇ／ｍ2）と、その左右縁部に、３本のフィラメント状の弾性糸（例えば、ポリウレタンフィラメント。例えば、６００ｄｔｅｘ）１１を並列に配置して被覆させてなる左右一対の頭部１０ｃとを有する。
弾性糸１１は、図４（Ｂ）に示されるように、前身頃Ｆから、股下部Ｃを経て、後身頃Ｒにわたって、前後の両端部付近を除く全長に配置されている。
頭部１０ｃの弾性糸１１は、前後方向に応力を掛けて伸長された状態でキャナルシート１２ｂに被覆され、接着される。接着後、応力を解放して弾性糸１１を弛緩状態とすると、弾性糸１１は、収縮して短くなり、これによりキャナルシート１２ｂの左右縁部と弾性糸１１とが一体となって頭部１０ｃが伸縮性を有するようになる。
キャナル部材１４ｅは、左右一対の頭部１０ｃに、キャナルシート１２ｂの左右縁部が結合して、断面がＶ字型又はＵ字型となるように、キャナルシート１２ｂの中央部付近が垂れ下がっている。
【００４０】
図４（Ｃ）及び図４（Ｄ）に示されるキャナル部材１４ｆは、キャナルシート１２ｂ（例えば、ＰＥ／ＰＰスパンボンド不織布。例えば、目付量１５ｇ／ｍ2）と、嵩高の発泡部材１１ａ（例えば、ポリウレタン（例えば、ポリエーテル系ポリウレタン）からなる軟質発泡体シート。例えば、幅１５ｍｍ。例えば、厚さ４ｍｍ）からなる左右一対の頭部１０ｄとを有し、頭部１０ｄの下面にキャナルシート１２ｂの左右縁部が結合している。
発泡部材１１ａは、図４（Ｄ）に示されるように、前身頃Ｆから、股下部Ｃを経て、後身頃Ｒにわたって、前後の両端部付近を除く全長に配置されている。
頭部１０ｄの発泡部材１１ａは、前後方向に応力を掛けて伸長された状態でキャナルシート１２ｂに被覆され、接着される。接着後、応力を解放して発泡部材１１ａを弛緩状態とすると、発泡部材１１ａは、収縮して短くなり、これにより頭部１０ｄが伸縮性を有するようになる。
キャナル部材１４ｆは、左右一対の頭部１０ｄに、キャナルシート１２ｂの左右縁部が結合して、断面がＶ字型又はＵ字型となるように、キャナルシート１２ｂの中央部付近が垂れ下がっている。
【００４１】
図４（Ｅ）及び図４（Ｆ）に示されるキャナル部材１４ｇは、図４（Ａ）及び図４（Ｂ）に示されるキャナル部材１４ｅに、発泡部材１１ｂ（例えば、ポリウレタン（例えば、ポリエーテル系ポリウレタン）からなる軟質発泡体シート。例えば、幅２５ｍｍ。例えば、厚さ３ｍｍ）を組み合わせたものである。すなわち、頭部１０ｅは、弾性糸１１及び発泡部材１１ｂという２種の弾性部材の組合せからなる。
弾性糸１１は、図４（Ｆ）に示されるように、前身頃Ｆから、股下部Ｃを経て、後身頃Ｒにわたって、前後の両端部付近を除く全長に配置されている。他方、発泡部材１１ｂは、股下部Ｃと前身頃Ｆ及び後身頃Ｒの一部とを含む位置に配置されている。発泡部材は、弾性糸と同様にほぼ全長にわたって配置してもよいが、図４（Ｆ）に示されるように一部のみに配置した方が安価となる。
頭部１０ｅは、股下部Ｃにおいては、３本の弾性糸１１とその側面から上部にかけてを被覆する発泡部材１１ｂとにより、弛緩状態で、極めて嵩高（例えば、厚さ７〜８ｍｍ）とすることができる。これにより、頭部１０ｅは、嵩高となり、クッション性を有し、頭部１０ｅと着用者の股下部の肌との優れた密着性を得ることができる。
【００４２】
図４（Ｇ）及び図４（Ｈ）に示されるキャナル部材１４ｈは、図４（Ｅ）及び図４（Ｆ）に示されるキャナル部材１４ｇと同様であるが、発泡部材１１ｂの代わりに、ゴムシート部材１１ｃ（例えば、シリコーンゴムシート。例えば、幅２０ｍｍ。例えば、厚さ２ｍｍ）を用いている点で異なる。すなわち、頭部１０ｆは、弾性糸１１及びゴムシート１１ｃという２種の弾性部材の組合せからなる。
キャナル部材１４ｈの機能は、キャナル部材１４ｇとほぼ同様である。
【００４３】
図４（Ｉ）及び図４（Ｊ）に示されるキャナル部材１４ｉは、図４（Ｅ）及び図４（Ｆ）に示されるキャナル部材１４ｇと同様であるが、発泡部材１１ｂの代わりに、発泡部材１１ｄ（例えば、ポリプロピレン製発泡体シート。例えば、幅１８０ｍｍ。例えば、厚さ３ｍｍ））を用いている点で異なる。より具体的には、発泡部材１１ｄは、弾性糸１１を被覆して頭部１０ｇを構成し、更に、キャナルシート１２ｂを下側（外側）から被覆している。発泡部材１１ｄとキャナルシート１２ｂとは、接着剤等により接着され、一体化されている。
弾性糸１１は、図４（Ｊ）に示されるように、前身頃Ｆから、股下部Ｃを経て、後身頃Ｒにわたって、前後の両端部付近を除く全長に配置されている。他方、発泡部材１１ｄは、股下部Ｃと前身頃Ｆ及び後身頃Ｒの一部とを含む位置に配置されている。発泡部材は、弾性糸と同様にほぼ全長にわたって配置してもよいが、図４（Ｊ）に示されるように一部のみに配置した方が安価となる。
【００４４】
頭部１０ｇは、弾性糸１１及び発泡部材１１ｄという２種の弾性部材の組合せからなる。これにより、頭部１０ｇは、嵩高となり、クッション性を有し、頭部１０ｇと着用者の股下部の肌との優れた密着性を得ることができる。
また、キャナルシート１２ｂは、股下部Ｃにおいて、発泡部材１１ｄにより被覆されている。これにより、股下部Ｃにおいて、キャナル部材１４ｉの剛性が高くなり、着用時の着用者の体位の変化等によって生じる加重によるキャナル部材１４ｉのへたりや変形を少なくし、図４（Ｉ）に示されるＶ字型又はＵ字型の立体構造を常時保ちやすくなり、ひいては、体液の受容と移動を安定に行うことができる。
さらに、発泡部材１１ｄとして、液不透過性の材料（例えば、上述したポリプロピレン製発泡体シート）を用いた場合、キャナルシート１２ｂに親水性の不織布を使用した場合でも、股下部Ｃにおけるキャナル部からその外側への体液移動を防止することができる。
以上述べたように、キャナル部材１４ｉにおいては、異なる機能材料の組合せにより製品設計の自由度を広げることができる。
【００４５】
いずれのキャナル部材においても、キャナル部材の前後方向の長さＬＣ（全長）は、吸収体物品の全長ＬＳより短い。キャナル部材の左右方向の幅（全幅）ＷＣは、吸収体物品の全幅ＷＳよりも短い（図４（Ｂ）参照）。
【００４６】
（３）キャナル部材の立体構造
体液の受容と移動に関わるキャナル部が安定してその機能を発揮するためには、着用時に、Ｖ字型又はＵ字型の断面を有する立体構造が保持されることが必要である。
そのためには、着用時に、着用者の身体の動きや体位変化による加重や隙間状態の違いにより、キャナル部が押し潰されたり、大きくゆがみ変形したりすることが起こらないようにしておくのが好ましい。特に、キャナル部が深くなる股下部Ｃ及びその前後の領域においては、立体構造をしっかりと保持するのが好ましい。
【００４７】
図５は、キャナル部の立体構造が保持されやすい種々のキャナル部材を示す模式図である。図５（Ａ）、図５（Ｃ）、図５（Ｅ）、図５（Ｇ）及び図５（Ｉ）は、それぞれ弛緩状態の横端面図であり、図５（Ｂ）、図５（Ｄ）、図５（Ｆ）、図５（Ｈ）及び図５（Ｊ）は、それぞれ緊張状態の平面図である。
図５（Ａ）及び図５（Ｂ）に示されるキャナル部材１４ｊは、図３（Ａ）に示されるキャナル部材１４ｂと同様であるが、キャナルシート１２ｂ（例えば、親水性の不織布（例えば、ＰＥＴエアスルー不織布））の下側（外側）に、液不透過性フィルム１５（例えば、ＰＥフィルム（例えば、ＬＬＤＰＥ樹脂にＣａＣＯ３を共存させた通気性フィルム）。例えば、厚さ２０μｍ））が設けられている。
液不透過性フィルム１５は、前後方向においては、キャナル部材１４ｊのほぼ全長にわたって、左右方向においては、キャナル部の底面部と左側面部及び右側面部の一部とを被覆するように設けられている。キャナルシート１２ｂと液不透過性フィルム１５とは、ホットメルト接着剤等の接着剤により接着されている。
キャナル部材１４ｊにおいては、キャナルシート１２ｂが液不透過性フィルム１５により被覆されているため、キャナル部の底面部と左側面部及び右側面部の一部とが液不透過性（防漏性）となるともに、キャナルシート１２ｂが補強され、キャナル部のへたり現象が軽減され、変形が少なくなり、Ｖ字型又はＵ字型の立体構造がほぼ全長にわたって保たれやすくなる。
【００４８】
図５（Ｃ）及び図５（Ｄ）に示されるキャナル部材１４ｋは、図３（Ａ）に示されるキャナル部材１４ｂと同様であるが、キャナルシート１２ｂ（例えば、親水性の不織布（例えば、ＰＥＴエアスルー不織布））の下側（外側）に、液不透過性発泡部材１５ａ（例えば、ポリウレタン（例えば、ポリエーテル系ポリウレタン）からなる軟質発泡体シート。例えば、厚さ２ｍｍ）が設けられている。
液不透過性発泡部材１５ａは、前後方向においては、キャナル部材１４ｋの股下部Ｃ及びその前後にわたって、左右方向においては、キャナル部の底面部と左側面部及び右側面部の一部とを被覆するように設けられている。キャナルシート１２ｂと液不透過性発泡部材１５ａとは、ホットメルト接着剤等の接着剤により接着されている。
キャナル部材１４ｋにおいては、キャナルシート１２ｂが液不透過性発泡部材１５ａにより被覆されているため、キャナル部の底面部と左側面部及び右側面部の一部とが液不透過性（防漏性）となるともに、キャナルシート１２ｂが補強され、キャナル部のへたり現象が軽減され、変形が少なくなり、Ｖ字型又はＵ字型の立体構造が股下部Ｃを中心とする領域にわたって保たれやすくなり、その前後の領域も変形が軽減される。
【００４９】
図５（Ｅ）及び図５（Ｆ）に示されるキャナル部材１４ｌは、図３（Ａ）に示されるキャナル部材１４ｂと同様であるが、キャナルシート１２ｂ（例えば、親水性の不織布（例えば、ＰＥＴエアスルー不織布））の下側（外側）に、液不透過性発泡部材１５ｂ（例えば、発泡スチロール（例えば、冷凍食品等の輸送に使用される断熱容器として用いられるもの）、硬質ウレタンフォーム。例えば、最薄部５ｍｍ、最厚部１５ｍｍ）が設けられている。
液不透過性発泡部材１５ｂは、前後方向においては、キャナル部材１４ｋの股下部Ｃに、左右方向においては、キャナル部の底面部と左側面部及び右側面部の一部とを被覆するように設けられている。キャナルシート１２ｂと液不透過性発泡部材１５ｂとは、ホットメルト接着剤等の接着剤により接着されている。
液不透過性発泡部材１５ｂの下側の平面部は、吸収体又はそれを被覆するサーフェスシート（いずれも図示せず）とホットメルト接着剤等の接着剤により左右方向の幅広い範囲で結合している。
キャナル部材１４ｌにおいては、キャナルシート１２ｂが液不透過性発泡部材１５ｂにより被覆されているため、キャナル部の底面部と左側面部及び右側面部の一部とが液不透過性（防漏性）となるともに、キャナルシート１２ｂが効果的に補強され、キャナル部のへたり現象が大幅に軽減され、変形がほとんどなくなり、Ｖ字型又はＵ字型の立体構造が股下部Ｃを中心とする領域にわたって保たれやすくなり、その前後の領域も変形が軽減される。
【００５０】
図５（Ｇ）及び図５（Ｈ）に示されるキャナル部材１４ｍは、図３（Ａ）に示されるキャナル部材１４ｂと同様であるが、キャナルシート１２ｂ（例えば、疎水性の不織布（例えば、ＰＰ製ＳＭＭＳ不織布））の上側（内側）に、吸液性発泡部材１５ｃ（例えば、圧縮プレスしたセルローススポンジシート。例えば、厚さ１ｍｍ）が設けられている。
吸液性発泡部材１５ｃは、前後方向においては、キャナル部材１４ｋの股下部Ｃに、左右方向においては、キャナル部の底面部と左側面部及び右側面部の一部とを被覆するように設けられている。キャナルシート１２ｂと吸液性発泡部材１５ｃとは、ホットメルト接着剤等の接着剤により接着されている。
キャナル部材１４ｍにおいては、キャナルシート１２ｂが吸液性発泡部材１５ｃにより被覆されているため、キャナル部の内面において、底面部と左側面部及び右側面部の一部とが親水性となり、体液の濡れ性が優れたものとなり、体液の移動が円滑になるとともに、キャナルシート１２ｂが効果的に補強され、キャナル部のへたり現象が大幅に軽減され、変形がほとんどなくなり、Ｖ字型又はＵ字型の立体構造が股下部Ｃを中心とする領域にわたって保たれやすくなり、その前後の領域も変形が軽減される。
【００５１】
図５（Ｉ）及び図５（Ｊ）に示されるキャナル部材１４ｎは、図３（Ａ）に示されるキャナル部材１４ｂと同様であるが、キャナルシート１２ｂ（例えば、疎水性の不織布（例えば、ＰＰ製ＳＭＭＳ不織布））の上側（内側）に、親水性嵩高ウェブ１５ｄ（例えば、表面親水化ＰＥＴ繊維ウェブ（例えば、中空ＰＥＴ繊維（例えば、７デニール）のカードウエッブ（例えば、目付量５０ｇ／ｍ2）に軽くニードルパンチを施して得られる嵩高ウェブ））が設けられている。親水性嵩高ウェブ１５ｄは、キャナル部の内部容積の１／３程度を充填している。
親水性嵩高ウェブ１５ｄは、前後方向においては、キャナル部材１４ｎの股下部Ｃと前身頃Ｆ及び後身頃Ｒの一部とにわたって、左右方向においては、キャナル部の底面部と左側面部及び右側面部の一部とを被覆するように設けられている。キャナルシート１２ｂと親水性嵩高ウェブ１５ｄとは、ホットメルト接着剤等の接着剤により接着されている。
キャナル部材１４ｎにおいては、キャナルシート１２ｂが親水性嵩高ウェブ１５ｄにより被覆され、充填されているため、キャナル部の内面において、底面部と左側面部及び右側面部の一部とが親水性となり、体液の濡れ性が優れたものとなり、体液の移動が円滑になるとともに、キャナルシート１２ｂが効果的に補強され、キャナル部のへたり現象が大幅に軽減され、変形がほとんどなくなり、Ｖ字型又はＵ字型の立体構造が股下部Ｃを中心とする領域にわたって保たれやすくなり、その前後の領域も変形が軽減される。
【００５２】
３．固定部材の構成及びキャナル部材との関係
Ｓパートは、キャナル部材と、固定部材とを有する。
固定部材は、着用時に、キャナル部材の頭部が着用者の肌に接触するように、キャナル部材を着用者の身体に固定するものであれば、特に限定されない。
固定部材に用いられる材料は、例えば、不織布、不織布と液不透過性フィルム（例えば、通気性ＰＥフィルム）とを積層させた複層シートが挙げられる。
中でも、固定部材の少なくとも一部が液不透過性であるのが好ましい。この場合、たとえキャナル部材の端部まで体液が伝わってきても、そこから外部への滲み出し漏れを防ぐことができる。
【００５３】
固定部材の構成は、特に限定されず、互いに別部材である固定部材とキャナル部材とを結合させて一体化してＳパートとしてもよく（別体結合型）、固定部材とキャナル部材とを連続した一部材のものとしてＳパートとしてもよい（連続一体型）。
【００５４】
図６は、種々のＳパートを示す模式的な平面図である。
図６（Ａ）及び図６（Ｂ）には、それぞれ、別体結合型のＳパートが示されている。
図６（Ａ）に示されるＳパートは、図２（Ａ）に示されるＳパートと同じものである。図６（Ａ）に示されるＳパートは、上述したとおり、テープ型おむつの態様の吸収体物品に用いられるものである。
固定部材として機能する前方被覆部１６ａ及び後方被覆部１８ａと、キャナル部材１４ａとを結合させて一体化してＳパートが構成される。
後方被覆部１８ａの左右両側には、着脱部材３０が設けられている。前方被覆部１６ａの下面には、着脱部材３０と互いに着脱自在となるように、着脱部材（図示せず）が設けられている。
【００５５】
図６（Ｂ）に示されるＳパートは、図１に示される吸収体物品１００のＳパートと同じものである（ただし、図６（Ｂ）は、簡略化されている。）。図６（Ｂ）に示されるＳパートは、上述したとおり、パンツ型おむつの態様の吸収体物品に用いられるものである。
固定部材として機能する前方被覆部１６及び後方被覆部１８と、キャナル部材１４とを結合させて一体化してＳパートが構成される。
前方被覆部１６ａ及び後方被覆部１８ａの左右縁部の腰部シール部Ｚ同士、腰部シール部Ｚ’同士は、互いに結合している。この結合は、キャナル部材１４との一体化の前に行ってもよく、後に行ってもよく、同時に行ってもよい。
前方被覆部１６ａと後方被覆部１８ａとは、一つの原材料から切り出して製造することもできる。
【００５６】
図６（Ｃ）及び図６（Ｄ）には、それぞれ、連続一体型のＳパートが示されている。
図６（Ｃ）に示されるＳＰは、テープ型おむつの態様の吸収体物品に用いられるものである。
図６（Ｃ）に示されるＳＰにおいては、キャナル部材１４ｏは、頭部１０ｈとキャナルシート１２ｅとを有する。キャナルシート１２ｅは、前方被覆部１６ｂ及び後方被覆部１８ｂと連続した一部材（例えば、不織布）により構成されている。頭部１０ｈは、この部材の左右縁部に、伸縮体を結合して設けられる。
後方被覆部１８ｂの左右両側には、着脱部材３０が設けられている。前方被覆部１６ｂの下面には、着脱部材３０と互いに着脱自在となるように、着脱部材（図示せず）が設けられている。
【００５７】
図６（Ｄ）に示されるＳＰは、パンツ型おむつの態様の吸収体物品に用いられるものである。
図６（Ｄ）に示されるＳＰにおいては、キャナル部材１４ｐは、頭部１０ｉとキャナルシート１２ｆとを有する。キャナルシート１２ｆは、前方被覆部１６ｃ及び後方被覆部１８ｃと連続した一部材（例えば、不織布）により構成されている。頭部１０ｉは、この部材の左右縁部に、伸縮体を結合して設けられる。
前方被覆部１６ｂ及び後方被覆部１８ｂの左右縁部の腰部シール部Ｚ同士、腰部シール部Ｚ’同士は、互いに結合している。
【００５８】
図６（Ｅ）には、別体結合型のＳパートが示されている。図６（Ｆ）には、図６（Ｅ）に示されるＳパートを構成する複数の部材が示されている。
図６（Ｅ）に示されるＳＰは、テープ型おむつの態様の吸収体物品に用いられるものである。
図６（Ｅ）に示されるＳＰは、図６（Ｆ）に示される、左右一対の頭部１０ｊとキャナルシート１２ｇとを有するキャナル部材１４ｑと、固定部材として機能する、左側被覆部３８及び右側被覆部４０とにより構成される。
図６（Ｅ）に示されるように、キャナル部材１４ｑの左側に左側被覆部３８、キャナル部材１４ｑの右側に右側被覆部４０をそれぞれ結合部９０において結合させて一体化する。左側被覆部３８及び右側被覆部４０の前身頃Ｆ部分を前方被覆部、後身頃Ｒ部分を後方被覆部と捉えることもできる。
左側被覆部３８の後方左側及び右側被覆部４０の後方右側には、それぞれ、着脱部材３０が設けられている。左側被覆部３８及び右側被覆部４０の下面には、それぞれ、着脱部材３０と互いに着脱自在となるように、着脱部材（図示せず）が設けられている。
左側被覆部３８と右側被覆部４０とは、一つの原材料から切り出して製造することもできる。
【００５９】
４．Ｒパートの構成
図７及び図８は、それぞれ、種々のＲパートを示す模式図である。
図７（Ａ）は、Ｒパートの平面図である。図７（Ｂ）は、図７（Ａ）中のＶＩＩＢ−ＶＩＩＢ線に沿った横端面図である。
図７（Ａ）及び図７（Ｂ）に示されるＲパートは、シート状の防漏体２２ａと、吸収体２４ａと、サーフェスシート２６ａとを有する。
吸収体２４ａは、液不透過性の防漏体２２ａ上に、前身頃Ｆから股下部Ｃを経て後身頃Ｒに至るまで連続して配置され、その上面の全体を液透過性のサーフェスシート２６ａが被覆している。
防漏体２２ａとサーフェスシート２６ａとは、前後左右の端部で結合し、吸収体２４ａが外に漏れたり、はみ出したりしないようにしている。
【００６０】
図７（Ａ）に示されるＲパートは、特に大きさを限定されない。
Ｒパートの前後方向の長さ（全長）ＬＲは、Ｓパートの全長ＬＳと比べて選択の余地が大きい。
Ｒパートの全長ＬＲは、Ｓパートの全長ＬＳより短くても長くてもよいし、また、キャナル部材の全長ＬＣより短くても長くてもよい。
Ｒパートの左右方向の幅（全幅）ＷＲは、Ｓパートの全幅ＷＳと比べて選択の余地が大きい。
Ｒパートの全幅ＷＲは、Ｓパートの全幅ＷＳより短くても長くてもよいし、また、キャナル部材の全幅ＷＣより短くても長くてもよい。例えば、Ｓパートの全幅ＷＳがキャナル部材の全幅ＷＣより長く、かつ、Ｒパートの全幅ＷＲがＳパートの全幅ＷＳより長くしてもよい。
後述する図７（Ｉ）及び図７（Ｊ）に示されるＲパートは、ＬＲが比較的短く、ＷＲが比較的長い例である。
【００６１】
本発明において、防漏体は、体液の漏れを防ぐシート状の防漏体であれば、特に限定されない。
防漏体の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、サーマルボンド不織布（例えば、エアスルータイプ）等が好適に用いられる。
また、前記樹脂のフィルムと後述するシート状吸収体との複層シートを用いることもできる。
また、高耐水性不織布を用いることもできる。高耐水性不織布としては、例えば、耐水度１００ｍｍＨ2Ｏ以上の耐水性を有するＳＭＳ、不織布ウェブの細孔をミクロフィブリル化セルロース（ＭＦＣ）やワックスで充填することにより耐水性を付与されたＳＭＳが挙げられる。この場合、単独で用いてもよく、フィルムと高耐水性不織布との複層シートとして用いることもできる。
【００６２】
防漏体は、複数の部材から構成されていてもよい。
【００６３】
防漏体は、シート状であり、吸収体を上部に収納し得るものであれば、その形状を特に限定されない。
【００６４】
本発明に用いられる吸収体は、体液を吸収しうるものであれば特に限定されず、従来公知の吸収体物品に用いられる吸収体を用いることができる。例えば、粉砕された木材パルプ、粉砕された木材パルプと粒状又は粉体状のＳＡＰとを混合しマット状に成形した吸収体、薄いシート状に成形されたＳＡＰを主成分とするシート状吸収体等を用いることができる。これらの吸収体は、その形状を保持し、同時にパルプやＳＡＰから発生する微粉の発生や脱落を防ぐため、ティッシュペーパー、不織布、開孔フィルム等からなるコアラッピング材で被覆されているのが一般的である。本明細書においては、コアラッピング材が用いられている場合には、コアラッピング材も含めて「吸収体」と呼ぶ。
【００６５】
シート状吸収体は、形態安定性、ＳＡＰの脱落防止性能等に優れる。
シート状吸収体の中でも、ＳＡＰを５０質量％以上、好ましくは６０質量％以上、より好ましくは７０質量％以上含有する高吸水性シートであるのが好ましい。また、高吸水性シートにおけるＳＡＰの含有量は、高吸水性シートの安定性等の点で、９５質量％以下であるのが好ましい。
【００６６】
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰ等が知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
そのほかに、例えば、起毛状不織布にＳＡＰを大量に担持させ、ホットメルト接着剤、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００６７】
吸収体は、防漏体の上部に、少なくとも１層配置される。すなわち、吸収体は、１層であってもよく、２層以上（複数層）であってもよい。
また、吸収体は、折りたたんだ状態で配置することもできる。
【００６８】
本発明においては、Ｒパートが、更に、サーフェスシートを有していてもよい。サーフェスシートとしては、従来の吸収体製品のトップシートとして用いられているものを用いることができるが、抗菌性等のスキンケア性能を付与してもよい。また、本発明者らが、国際公開第０２／００１５４号パンフレットで提案したような特殊なスキンコンタクトシートを用いることもできる
【００６９】
図７（Ｃ）は、別の態様のＲパートの平面図である。図７（Ｄ）は、図７（Ｃ）中のＶＩＩＤ−ＶＩＩＤ線に沿った縦端面図である。
図７（Ｃ）及び図７（Ｄ）に示されるＲパートは、図７（Ａ）及び図７（Ｂ）に示されるＲパートと同様であるが、吸収体２４ａの代わりに、前部及び後部に存在する二つの吸収体２４ｂを有する点で異なる。
前後方向の中央部の吸収体２４ｂが存在しない部分においては、防漏体２２ａとサーフェスシート２６ａとが結合されている。
この態様のＲパートは、吸収体のない中央部を折り曲げ線として前後に折り畳みやすいという利点がある。
【００７０】
図７（Ｅ）は、更に別の態様のＲパートの平面図である。図７（Ｆ）は、図７（Ｅ）中のＶＩＩＦ−ＶＩＩＦ線に沿った横端面図である。
図７（Ｅ）及び図７（Ｆ）に示されるＲパートは、図７（Ａ）及び図７（Ｂ）に示されるＲパートと同様であるが、吸収体２４ａの代わりに、左右両側に存在する二つの細長い吸収体２４ｃを有する点で異なる。
左右方向の中央部の吸収体２４ｃが存在しない部分においては、防漏体２２ａとサーフェスシート２６ａとが結合されている。
この態様のＲパートは、吸収体のない中央部を折り曲げ線として左右に折り畳みやすいという利点がある。
【００７１】
図７（Ｇ）は、更に別の態様のＲパートの平面図である。図７（Ｈ）は、図７（Ｇ）中のＶＩＩＨ−ＶＩＩＨ線に沿った横端面図である。
図７（Ｇ）及び図７（Ｈ）に示されるＲパートは、図７（Ａ）及び図７（Ｂ）に示されるＲパートと同様であるが、吸収体２４ａの代わりに、左右両縁部を上側に折り返し、中央部が１層、その左右両側が２層となっている吸収体２４ｄを有する点で異なる。
この態様のＲパートは、吸収体が１層である中央部を折り曲げ線として左右に折り畳みやすいという利点がある。
【００７２】
図７（Ｉ）は、更に別の態様のＲパートの平面図である。図７（Ｊ）は、図７（Ｉ）中のＶＩＩＪ−ＶＩＩＪ線に沿った横端面図である。
図７（Ｉ）及び図７（Ｊ）に示されるＲパートは、シート状の防漏体２２ｂと、２個の吸収体２４ｅと、サーフェスシート２６ｂとを有する。
シート状の防漏体２２ｂは、前後方向の長さが比較的短く（例えば、１００〜１５０ｍｍ）、ほぼ股下部Ｃのみに存在する。
シート状の防漏体２２ｂは、左右方向の幅が比較的長く（例えば、２００ｍｍ程度）、左右にウイング状に延在している。
２個の吸収体２４ｅは、それぞれ、例えば、長方形のもの（例えば、長さ１００ｍｍ、幅５０ｍｍ）が用いられ、防漏体２２ｂの左右両側に配置され、その上面の全体を液透過性のサーフェスシート２６ｂが被覆し、更に、その上側を左右縁部が上側に折り返された防漏体２２ｂが被覆している。防漏体２２ｂの幅方向の中央部には、吸収体が存在していない。
防漏体２２ｂとサーフェスシート２６ｂとは、前後の端部で結合している。
防漏体２２ｂは、左側の吸収体２４ｅの下面、左側面及び上面の３面を被覆し、左側の吸収体２４ｅの前側及び後側において、吸収体２４ｅのない縁部で折り返し部分同士が結合され、吸収体２４ｅが内部に配置された袋状のカプセルを形成している。同様に、防漏体２２ｂは、右側の吸収体２４ｅの下面、右側面及び上面の３面を被覆し、右側の吸収体２４ｅの前側及び後側において、吸収体２４ｅのない縁部で折り返し部分同士が結合され、吸収体２４ｅが内部に配置された袋状のカプセルを形成している。
左右両側のカプセルは、対向する開口部を有する。この開口部は、キャナル部から移送された体液の入口となる。
【００７３】
図８（Ａ）は、更に別の態様のＲパートに応力を加えて前後方向及び左右方向に引っ張って展開し、ほぼ平面状にした状態（緊張状態）の展開平面図である。図８（Ｂ）は、図８（Ａ）中のＶＩＩＩＢ−ＶＩＩＩＢ線に沿った横端面図である。
図８（Ａ）及び図８（Ｂ）に示されるＲパートは、シート状の防漏体２２ａと、吸収体２４ｆと、サーフェスシート２６ａとを有する。
吸収体２４ｆは、前後方向の中央部が凹んだ形状をしており、液不透過性の防漏体２２ａ上に、前身頃Ｆから股下部Ｃを経て後身頃Ｒに至るまで連続して配置され、その上面の全体を液透過性のサーフェスシート２６ａが被覆している。
この態様のＲパートは、吸収体の左右方向の幅が狭くなっている中央部分を折り曲げ線として前後に折り畳みやすいという利点がある。
【００７４】
防漏体２２ａとサーフェスシート２６ａとは、前後左右の端部で結合し、吸収体２４ａが外に漏れたり、はみ出したりしないようにしている。
防漏体２２ａの左右の縁部、より具体的には、防漏体２２ａとサーフェスシート２６ａとの左右の端部の結合部には、フィラメント状の２本の伸縮部材２８ａが防漏体２２ａとサーフェスシート２６ａとに挟まれて設けられている。
伸縮部材２８ａは、従来の吸収体物品におけるインナーレッグギャザー（ＩＬＧ）やアウターレッグギャザー（ＯＬＧ）のように、着用者の身体に密着して体液の横漏れを防止する目的のものではなく、その前後方向の長さを縮める作用を奏することにより、下側に凸状の形状（Ｃ字型）に変形して起立しやすくして、Ｒパートの表面とキャナル部の底面部の曲面との接触面積を大きくするためのものである。
このように、防漏体の左右縁部に、その前後方向の長さを縮める作用を奏する伸縮部材を有するのは、本発明の吸収体物品の好ましい態様の一つである。
また、このように、防漏体が、着用時に、少なくとも股下部において、下側に凸状の形状となるのは、本発明の吸収体物品の好ましい態様の一つである。
【００７５】
図８（Ｃ）は、更に別の態様のＲパートに応力を加えて前後方向及び左右方向に引っ張って展開し、ほぼ平面状にした状態（緊張状態）の展開平面図である。図８（Ｄ）は、図８（Ｃ）中のＶＩＩＩＤ−ＶＩＩＩＤ線に沿った横端面図である。
図８（Ｃ）及び図８（Ｄ）に示されるＲパートは、図８（Ａ）及び図８（Ｂ）に示されるＲパートと同様であるが、更に、サーフェスシート２６ａの前後端部にそれぞれＳパート（図示せず）とＲパートとを着脱自在に結合させる着脱部材３０ａを有し、また、サーフェスシート２６ａの股下部Ｃの左右方向の中央部に、前後方向に延在し、キャナル部の底面部に着脱自在に結合させる粘着部材４２を有する点で異なる。
着脱部材３０ａは、着脱部材３０と同様のものを用いることができる。例えば、各種面ファスナーにより構成することができる。具体的には、着脱部材３０ａとして、粘着テープ、ベルクロテープ（雄）、Ｓパートに設けられる着脱部材として、ＴＬＺ（雌）、ＺＬＺ（雌）を用いることができる。
粘着部材４２は、使用前には、はく離紙で被覆しておくのが好ましい。
図８（Ｃ）及び図８（Ｄ）に示されるＲパートは、着脱部材３０ａ及び粘着部材４２の作用により、Ｓパートと着脱可能となっている。
このように、ＳパートとＲパートとが着脱可能であるのは、本発明の吸収体物品の好ましい態様の一つである。
【００７６】
図８（Ｅ）は、更に別の態様のＲパートに応力を加えて前後方向及び左右方向に引っ張って展開し、ほぼ平面状にした状態（緊張状態）の展開平面図である。図８（Ｆ）は、図８（Ｅ）中のＶＩＩＩＦ−ＶＩＩＩＦ線に沿った縦端面図である。
図８（Ｅ）及び図８（Ｆ）に示されるＲパートは、図８（Ａ）及び図８（Ｂ）に示されるＲパートと同様であるが、防漏体２２ｃが前後端部で上側に折り返され、折り返し部分の左右縁部がサーフェスシート２６ａと結合して、前方ポケット部４４及び後方ポケット部４６を形成している点で異なる。
この態様のＲパートは、前方ポケット部４４及び後方ポケット部４６により、前後漏れの発生をより効果的に抑制することができる。
【００７７】
５．Ｓパートのキャナルシートの下面の一部とＲパートの吸収体（又は吸収体を被覆するサーフェスシート若しくは拡散シート）の表面の一部との結合状態
本発明の吸収体物品においては、ＳパートとＲパートとは、少なくともＳパートのキャナルシートの下面の一部とＲパートの吸収体（又は吸収体を被覆するサーフェスシート若しくは拡散シート）の表面の一部とが結合している。これにより、キャナル部に受容された体液を、通路を経由して吸収体の表面に円滑に移送することが可能になる。
【００７８】
図９及び図１０は、種々の本発明の吸収体物品を示す股下部Ｃにおける模式的な横端面図である。
図９（Ａ）に示される吸収体物品１００ａは、図３（Ａ）に示されるキャナル部材１４ｂを有するＳパートと、図７（Ａ）及び図７（Ｂ）に示されるＲパートとを有する。
Ｓパートのキャナルシート１２ｂの下面とＲパートの吸収体２４ａを被覆するサーフェスシート２６ａの表面とは、左右方向の中央部において、前後方向に延在する底面結合部８４ａで、結合している。
このように、キャナルシートの下面の左右方向の中央部の一部と、吸収体又はそれを被覆するサーフェスシート等の表面の一部とが、底面結合部において結合しているのは、本発明の吸収体物品の好ましい態様の一つである。
底面結合部８４ａは、左右方向の幅が短い線状のものであるが、左右方向の幅が長い帯状のものとしてもよい。
底面結合部８４ａは、股下部Ｃのみに存在していてもよく、股下部Ｃから前身頃Ｆ及び／又は後身頃Ｒに延在していてもよい。底面結合部が、股下部Ｃを含む領域で、前後方向に延在するのは、本発明の吸収体物品の好ましい態様の一つである。
【００７９】
図９（Ｂ）に示される吸収体物品１００ｂは、図３（Ａ）に示されるキャナル部材１４ｂを有するＳパートと、図７（Ｅ）及び図７（Ｆ）に示されるＲパートとを有する。
Ｓパートのキャナルシート１２ｂの下面とＲパートの吸収体２４ｃを被覆するサーフェスシート２６ａの表面とは、左右方向の中央部（吸収体２４ｃの存在しない箇所）において、前後方向に線状に延在する底面結合部８４ｂで、結合している。
底面結合部８４ｂは、左右方向の幅が短い線状のものであるが、左右方向の幅が長い帯状のものとしてもよい。
底面結合部８４ｂは、股下部Ｃのみに存在していてもよく、股下部Ｃから前身頃Ｆ及び／又は後身頃Ｒに延在していてもよい。
【００８０】
図９（Ｃ）に示される吸収体物品１００ｃは、図９（Ｂ）に示される吸収体物品１００ｂと同様であるが、サーフェスシート２６ｃが左右縁部において下側に折り返され、伸縮部材２８ｂを被覆している。伸縮部材２８ｂは、上述した伸縮部材２８ａと同様の機能を奏するため、底面結合部８４ｃを、左右方向の幅が長い帯状のものとすることが容易となる。
底面結合部８４ｃは、左右方向の幅が長い帯状のものであるが、左右方向の幅が短い線状のものとしてもよい。
底面結合部８４ｃは、股下部Ｃのみに存在していてもよく、股下部Ｃから前身頃Ｆ及び／又は後身頃Ｒに延在していてもよい。
【００８１】
図１０（Ａ）に示される吸収体物品１００ｄは、図３（Ａ）に示されるキャナル部材１４ｂを有するＳパートと、図８（Ａ）及び図８（Ｂ）に示されるＲパートとを有する。
Ｓパートのキャナルシート１２ｂの下面とＲパートの吸収体２４ａを被覆するサーフェスシート２６ａの表面とは、左右方向の中央部及びその左右両側において、前後方向に延在する底面結合部８４ｄ及び側面結合部９２の３箇所で結合している。
この態様の吸収体物品においては、キャナル部のＶ字型又はＵ字型にフィットするように、Ｒパートが下側に凸状の形状（Ｃ字型）に変形して起立し、キャナル部の底面から側面にかけての部分と結合して補強するため、キャナル部の立体構造が保たれやすくなり、着用者の体位に変化や動作によってキャナル部がつぶれたり、変形したりすることが大幅に抑制される。
このように、キャナルシートの下面の左右方向の中央部の一部に加え、キャナルシートの下面の左右縁部付近の一部と、吸収体又はそれを被覆するサーフェスシート等の表面の一部とが、左右の側面結合部において結合しているのは、本発明の吸収体物品の好ましい態様の一つである。
側面結合部９２は、股下部Ｃのみに存在していてもよく、股下部Ｃから前身頃Ｆ及び／又は後身頃Ｒに延在していてもよい。側面結合部が、股下部Ｃを含む領域で、前後方向に延在するのは、本発明の吸収体物品の好ましい態様の一つである。
【００８２】
この態様の吸収体物品においては、Ｓパートのキャナルシート１２ｂの下面とＲパートの吸収体２４ａを被覆するサーフェスシート２６ａの表面とは、３箇所で結合しているが、キャナル部の底面から側面にかけて連続的に結合していてもよい。
このような側面結合部を持つ吸収体物品は、着用時に下側に凸の形状を形成しやすくなり、特に、股下部においては下側に凸の形状が大きくなる。
【００８３】
図１０（Ｂ）に示される吸収体物品１００ｅは、図９（Ｃ）に示される吸収体物品１００ｃと同様であるが、Ｓパートのキャナルシート１２ｂの下面とＲパートの吸収体２４ｃを被覆するサーフェスシート２６ｃの表面とが、左右方向の中央部及びその左右両側において、前後方向に延在する底面結合部８４ｅ及び側面結合部９２ａの３箇所で結合している点で異なる。
３箇所で結合することの効果は、図１０（Ａ）に示される吸収体物品１００ｄと同様である。
図１０（Ｂ）に示される吸収体物品１００ｅにおいては、左右方向の中央部に吸収体が存在しないため、左右に折れ曲がりやすくなっているので、キャナル部の断面形状が、図１０（Ａ）に示される吸収体物品１００ｄがＵ字型に近い形状を呈するのと比べて、Ｖ字型に近くなる。
この態様の吸収体物品においては、Ｓパートのキャナルシート１２ｂの下面とＲパートの吸収体２４ｃを被覆するサーフェスシート２６ｃの表面とは、３箇所で結合しているが、キャナル部の底面から側面にかけて連続的に結合していてもよい。
【００８４】
図１０（Ｃ）に示される吸収体物品１００ｆは、図３（Ａ）に示されるキャナル部材１４ｂを有するＳパートと、左右両側にカプセルを有するＲパートとを有する。
Ｒパートにおいては、防漏体２２ｄの上に、左右方向のほぼ全域にわたって延在する吸収体２４ｇと、吸収体２４ｇの上を被覆する拡散シート４８と、拡散シート４８の左右両側の上に存在する２個の吸収体２４ｈが設けられている。
シート状の防漏体２２ｄは、前後方向の長さが比較的短く（例えば、１２０ｍｍ程度）、ほぼ股下部Ｃのみに存在する。
シート状の防漏体２２ｄは、左右方向の幅が比較的長く（例えば、３００ｍｍ程度）、左右にウイング状に延在している。
２個の吸収体２４ｈは、それぞれ、例えば、長方形のもの（例えば、長さ１００ｍｍ、幅５０ｍｍ）が用いられる。
防漏体２２ｄは、左右の縁部で上側に折り返され、前端及び後端（いずれも図示せず）において、折り返し部分同士が結合され、袋状のカプセルを形成している。
左右両側のカプセルは、対向する開口部を有する。この開口部は、キャナル部から移送された体液の入口となる。
【００８５】
拡散シート４８は、尿の移動を可能とする流路を有する構造であれば特に限定されないが、体液吸収性や体液保持性を有しないのが、尿の移動が速やかに行われる点で好ましい。具体的には、凸部に開孔を有する凹凸シート部材（開孔凹凸シート部材）が好適に挙げられる。
【００８６】
Ｓパートのキャナルシート１２ｂの下面とＲパートの吸収体２４ｇを被覆する拡散シート４８の表面とは、左右方向の中央部において、前後方向に延在する底面結合部８４ｆで結合している。また、Ｓパートのキャナルシート１２ｂの下面とＲパートの防漏体２２ｄの折り返し部の端部とは、左右両側において、前後方向に延在するＳパート−Ｒパート側縁結合部９４で結合している。このように、ＳパートとＲパートとは、図１０（Ｃ）中、３箇所で結合して一体化している。
また、図示しないが、Ｒパートの前後端は、キャナルシート１２ｂの下面（外面）にホットメルト接着剤等の接着剤により部分的に結合されている。
【００８７】
図１０（Ｃ）に示されるカプセル型の吸収体物品は、股下部Ｃにおいて、着用者の排泄部を完全に覆うように収容することができる。したがって、例えば、女性用の失禁用品や夜用の生理用ナプキンに好適に用いられる。
【００８８】
６．ＳパートとＲパートとのその他の結合状態
本発明の吸収体物品においては、機能上は、上述したように、Ｓパートのキャナルシートの下面の一部とＲパートの吸収体（又は吸収体を被覆するサーフェスシート若しくは拡散シート）の表面の一部とが結合していればよく、その他の箇所では、ＳパートとＲパートとは結合していなくてよいが、結合していた方が、外観が優れたものとなる。
Ｒパートの全長ＬＲがＳパートの全長ＬＳより長い場合は、Ｒパートの前端及び／又は後端付近の左右両側縁部を、Ｓパートの固定部材（例えば、前方被覆部及び／又は後方被覆部）に接着剤により結合させることができる。
Ｒパートの全長ＬＲがＳパートの全長ＬＳ以下である場合は、Ｒパートの前端及び／又は後端を、Ｓパートの固定部材（例えば、前方被覆部及び／又は後方被覆部）に接着剤により結合させることができる。その場合、結合の態様は、特に限定されず、左右両縁部及び中央部の３箇所としてもよいし、一定間隔でスポット的に結合してもよいし、全面を帯状に結合してもよい。この場合、液密に結合させる必要はない。
中でも、Ｒパートの全長ＬＲがキャナル部材の全長ＬＣ以下である場合、例えば、股下部ＣのみにＲパートが存在するような場合は、Ｒパートの前端及び後端が、キャナルシートに、左右方向に部分的に又は全域に結合させることができる。
【００８９】
７．体液の移送
本発明の吸収体物品においては、キャナルシートの上側から吸収体の表面に体液を移送する通路が設けられている。
通路は、例えば、キャナルシート自体が有する微小開口（例えば、キャナルシートが液透過性の不織布で構成されている場合、液透過性の不織布の細孔）、キャナルシートに設けられたスリット、キャナルシートに設けられた切欠きが挙げられる。
本発明の吸収体物品を着用している着用者が体液を排出した場合、排出された体液が、キャナルシートの上側に受容され、その後、前後方向に移動しつつ、キャナルシートの上側から上述した通路を通じて吸収体の表面に移送される。
【００９０】
８．本発明の吸収体物品の製造方法
本発明の吸収体物品は、その製造方法を特に限定されないが、Ｓパート及びＲパートをそれぞれ形成する工程と、その後、ＳパートとＲパートとを結合させる工程とを行うことにより、製造することができる。
このように、Ｓパート及びＲパートをそれぞれモジュール化することにより、製造工程が簡易になり、したがって、投資コストを抑制することができるとともに、生産性も優れたものとなる。
【００９１】
以下、本発明の吸収体物品のより具体的な実施態様の例について説明する。
【００９２】
図１１は、本発明の吸収体物品の実施態様の別の例を示す模式図である。図１１（Ａ）は、パンツ型おむつの態様である吸収体物品をそのウエストギャザーの左右両側の腰部シール部（図中のＺ及びＺ’）で切断して、吸収体物品に応力を加えて前後方向及び左右方向に引っ張って展開し、ほぼ平面状にした状態を模式的に示した平面展開図である。図１１（Ｂ）は、前記の状態の図１１（Ａ）中のＸＩＢ−ＸＩＢ線に沿った横端面図である。図１１（Ｃ）は、吸収体物品に応力を加えない場合の（弛緩状態の）図１１（Ａ）中のＸＩＣ−ＸＩＣ線に沿った横端面図である。
【００９３】
図１１に示される吸収体物品１０１は、図１に示される本発明の吸収体物品１００と同様であるが、キャナルシートの上側から吸収体の表面に体液を移送する通路として、種々のスリットが設けられている点で異なる。以下、図１に示される本発明の吸収体物品１００の説明としては省略した部分も含めて、詳細に説明する。なお、以下の説明において、各部材の材料は、例示である。
【００９４】
図１１に示される吸収体物品１０１は、子供用パンツ型おむつ（スーパーＢｉｇサイズ（体重１３〜２５ｋｇ程度用））として構成されている。
以下に説明する吸収体物品１０１の各部材の大きさは、スーパーＢｉｇサイズである場合の一例であり、適宜変更することができるものであり、また、吸収体物品のサイズが異なれば、当然各部材の大きさも変わってくる。また、以下に説明する吸収体物品１０１の各部材の大きさは、特に記載のない限り、緊張状態のものである。
【００９５】
ＳパートＳＰは、全長が６９０ｍｍ、全幅が３６０ｍｍ（弛緩状態では２００ｍｍ）である。
キャナルシート部材は、全長が５５０ｍｍ、全幅が１４０ｍｍである。キャナルシート１２の折り畳み部分を拡げた幅は、２２０ｍｍである。左右一対の頭部１０の幅は、２０ｍｍである。
前方被覆部１６は、全長が１３０ｍｍである。後方被覆部１８は、全長が１６０ｍｍである。
【００９６】
ＲパートＲＰは、全長が５５０ｍｍ、全幅が１９０ｍｍである。
吸収体２４は、股下部Ｃにおいて幅が狭くなっている砂時計状であり、全長が４９０ｍｍ、全幅が最大１８０ｍｍ、最小９０ｍｍである。
【００９７】
Ｓパートは、図６（Ｂ）に示される別体結合型である。
キャナル部材１４の前後端部の下面と前方被覆部１６及び後方被覆部１８の上面とは、それぞれ、キャナル部−前端結合部８０及びキャナル部−後端結合部８２でホットメルト接着剤により帯状に連続的に結合し、防漏性を有するように一体化されている。
【００９８】
キャナル部材１４は、左右一対の頭部１０（２本のポリウレタンフィラメントが伸張状態でその上下面が粘着剤により支持体である不織布に結合されて構成されている。）と、左右一対の頭部１０間を連結する疎水性のキャナルシート１２（目付量１５ｇ／ｍ2のＳＭＭＳ不織布）とを有する。
キャナルシート１２は、疎水性であるため、その細孔は、体液を吸収体の表面に移送する通路としての機能は奏しない。
【００９９】
キャナルシート１２の前身頃Ｆには、左右に横切るＣ字型の前部スリット５０と、それより後側に存在する前後方向に延在する細かい線状の前方スリット群５２とが設けられている。前部スリット５０及び前方スリット群５２は、Ｓパートのキャナル部からＲパートの吸収体２４へ体液を移送する通路（前方出口）となる。
また、キャナルシート１２の後身頃Ｒから股下部Ｃにかけての領域には、左右に横切るＣ字型の後部スリット５４と、それより前側に存在する前後方向に延在する細かい線状の後方スリット群５６とが設けられている。後部スリット５４及び後方スリット群５６は、Ｓパートのキャナル部からＲパートの吸収体２４へ体液を移送する通路（後方出口）となる。
【０１００】
前方被覆部１６及び後方被覆部１８は、それぞれ、２枚の不織布（目付量１３ｇ／ｍ2のＰＰ製のＳＭＭＳ不織布）から構成されている。
前方被覆部１６の前端付近及び後方被覆部１８の後端付近には、それぞれ、全幅にわたって、ウエストギャザー２０（厚さ０．３５ｍｍ、幅１ｍｍのゴム糸３本が１２ｍｍ間隔で配置され、前方被覆部１６及び後方被覆部１８を構成する２枚の不織布に挟まれることにより構成されている。）が設けられている。
前方被覆部１６のウエストギャザー２０より後側及び後方被覆部１８のウエストギャザー２０より前側には、それぞれ、シャーリングギャザー２１（４００ｄｔｅｘのポリウレタンフィラメント３本が２０ｍｍ間隔で配置され、前方被覆部１６及び後方被覆部１８を構成する２枚の不織布に挟まれることにより構成されている。）が設けられている。
前方被覆部１６及び後方被覆部１８の左右縁部には、腰部シール部Ｚ、Ｚ’が設けられており、腰部シール部Ｚ同士、腰部シール部Ｚ’同士が結合して、パンツ型おむつを形成する。
【０１０１】
前方被覆部１６の前端から７０ｍｍ後側の位置にキャナル部材１４の前端が位置するように配置され、キャナル部材１４の前端及びその周囲の左右側縁と前方被覆部１６の下面とが、ホットメルト接着剤でスポット的に結合され、かつ、後方被覆部１８の後端から７０ｍｍ前側の位置にキャナル部材１４の後端が位置するように配置され、キャナル部材１４の後端及びその周囲の左右側縁と後方被覆部１６の下面とが、ホットメルト接着剤でスポット的に結合されている。
【０１０２】
Ｒパートにおいて、吸収体２４は、シート状の防漏体２２の上側に配置され、その上面を液透過性のサーフェスシート２６で被覆されている。防漏体２２とサーフェスシート２６とは、吸収体２４が漏れ出ないように、左右両縁でホットメルト接着剤により結合されている。
防漏体２２は、厚さ１８μｍのＰＥ通気性フィルムと目付量１２ｇ／ｍ2のＰＰ／ＰＥスパンボンド不織布との積層体である。
吸収体２４は、ＳＡＰとパルプとの混合物（ＳＡＰ／パルプ＝６０／４０（質量比））を圧縮して厚さ１．５ｍｍとし、目付量２０ｇ／ｍ2のティッシュで被覆したものである。
サーフェスシート２６は、目付量２０ｇ／ｍ2のＰＥ／ＰＥＴ製エアスルー不織布である。
【０１０３】
防漏体２２の左右縁部には、伸縮部材２８（４本のポリウレタンフィラメントを並列に配置し（幅３０ｍｍ）、不織布で被覆して構成されている。）が設けられている。伸縮部材２８の左右方向の内側の下端が、防漏体２２の下面に結合され、サーフェスシート２６の上面に折り畳まれた状態で配置される。
伸縮部材２８は、吸収体２４の側縁部が下に垂れ下がるのを防ぐためのものであって、伸縮部材２８自体が着用者の肌に直接接触する必要はない。
【０１０４】
ＳパートとＲパートとの間においては、図１を用いて説明したように、キャナルシート１２の下面（キャナルシート１２により構成されるキャナル部の底面の下側面）の一部と吸収体２４の表面（サーフェスシート２６の表面）の一部とが、ホットメルト接着剤により、股下部Ｃから前身頃Ｆにかけて延在する線状の底面結合部８４（長さ２３０ｍｍ、幅５ｍｍ）で結合している。
また、Ｓパートの前方被覆部１６及び後方被覆部１８の下面と、Ｒパートの折り畳まれた伸縮部材２８とが、それぞれ、Ｒパート−前端結合部８６及びＲパート−後端結合部８８で、結合されている。
これにより、ＳパートとＲパートとは、一体化している。ＳパートとＲパートとの前方及び後方の結合は、底面結合部８４での結合を補強する役割も果たしている。
【０１０５】
図１１（Ｃ）に示されるように、Ｓパートのキャナル部材１４は、弛緩状態では、左右一対の頭部１０の間隔が狭くなり、キャナルシート１２により形成されるキャナル部は深くなってＶ字型又はＵ字型の形状を呈する。
吸収体物品１０１の着用時には、少なくとも一部に伸縮性を有する左右一対の頭部１０のみが着用者の肌に接触することになり、吸収体２４を含むＲパートは着用者の肌とは確実に離間する。
【０１０６】
図１２は、本発明の吸収体物品の実施態様の更に別の例を示す模式図である。図１２（Ａ）は、テープ型おむつの態様である吸収体物品に応力を加えて前後方向及び左右方向に引っ張って展開し、ほぼ平面状にした状態を模式的に示した平面展開図である。図１２（Ｂ）は、前記の状態の図１２（Ａ）中のＸＩＩＢ−ＸＩＩＢ線に沿った横端面図である。図１２（Ｃ）は、吸収体物品に応力を加えない場合の（弛緩状態の）図１２（Ａ）中のＸＩＩＣ−ＸＩＩＣ線に沿った横端面図である。なお、以下の説明において、各部材の材料は、例示である。
【０１０７】
図１２に示される吸収体物品１０２は、子供用テープ型おむつ（Ｍサイズ（体重６〜１１ｋｇ程度用））として構成されている。
以下に説明する吸収体物品１０２の各部材の大きさは、Ｍサイズである場合の一例であり、適宜変更することができるものであり、また、吸収体物品のサイズが異なれば、当然各部材の大きさも変わってくる。また、以下に説明する吸収体物品１０２の各部材の大きさは、特に記載のない限り、緊張状態のものである。
【０１０８】
吸収体物品１０２は、前後方向に延在し、少なくとも一部に伸縮性を有する左右一対の頭部１０ｋと、左右一対の頭部１０ｋに左右両縁が結合し、中央部が着用時に下側に垂れ下がるキャナルシート１２ｈとを有する、キャナル部材１４ｒと、着用時に、キャナル部材１４ｒの頭部１０ｋが着用者の肌に接触するように、キャナル部材１４ｒを着用者の身体に固定する、固定部材として機能する前方被覆部１６ｂ及び後方被覆部１８ｂとを有する、身体接触パートＳＰと；体液の漏れを防ぐシート状の防漏体２２ｅと、防漏体２２ｅの上側に配置された体液を吸収しうる吸収体２４ｉとを有する、身体非接触パートＲＰとを具備する。
【０１０９】
ＳパートＳＰは、全長が４５０ｍｍ、全幅が３４０ｍｍである。
キャナルシート部材は、全長が３７０ｍｍ、全幅が１２０ｍｍである。左右一対の頭部１０ｋの幅は、１５ｍｍである。
前方被覆部１６ｂは、全長が７０ｍｍである。後方被覆部１８ｂは、全長が９０ｍｍである。
【０１１０】
ＲパートＲＰは、全長が３７０ｍｍ、全幅が１４０ｍｍである。
吸収体２４ｉは、長方形状であり、全長が３４０ｍｍ、全幅が１１０ｍｍである。
【０１１１】
左右一対の頭部１０ｋのポリウレタンフィラメントが存在しない内側延長部５８（左右方向の長さ４０ｍｍ）の先端部の下面とキャナルシート１２ｈとは、結合部７８ａにおいて、結合している。
【０１１２】
Ｓパートは、図６（Ａ）に示される別体結合型である。
キャナル部材１４ｒの前後端部の下面（より具体的には、左右一対の頭部１０ｋの内側延長部５８の結合部７８ａより外側の部分の下面）と前方被覆部１６ｂ及び後方被覆部１８ｂの上面とは、それぞれ、キャナル部−前端結合部８０ｂ及びキャナル部−後端結合部８２ｂでホットメルト接着剤により帯状に連続的に結合し、防漏性を有するように一体化されている。
【０１１３】
キャナル部材１４ｒは、左右一対の頭部１０ｋ（３本のポリウレタンフィラメントが伸張状態でその上下面が粘着剤により支持体である不織布に結合されて構成されている。）と、左右一対の頭部１０ｋ間を連結する液透過性のキャナルシート１２ｈ（目付量１５ｇ／ｍ2の親水化加工を施したＰＥ／ＰＰスパンボンド不織布）とを有する。
液透過性のキャナルシート１２ｈが有する細孔は、キャナルシート１２ｈの上側から吸収体２４ｉの表面に体液を移送する通路として機能する。
【０１１４】
前方被覆部１６ｂ及び後方被覆部１８ｂは、それぞれ、１枚の不織布（目付量１５ｇ／ｍ2のＰＰ製のＳＭＭＳ不織布）から構成されている。
後方被覆部１８ｂの左右両側には、着脱部材３０ｂ（ベルクロテープ（雄））が設けられている。前方被覆部１６ｂの下面には、着脱部材３０ｂと互いに着脱自在となるように、着脱部材（図示せず）が設けられている。これにより、吸収体物品１０２は、テープ型おむつとなっている。
【０１１５】
前方被覆部１６ｂの前端から３０ｍｍ後側の位置にキャナル部材１４ｒの前端が位置するように配置され、キャナル部材１４ｒの前端及びその周囲の左右側縁と前方被覆部１６ｂの下面とが、ホットメルト接着剤で結合され、かつ、後方被覆部１８ｂの後端から５０ｍｍ前側の位置にキャナル部材１４ｒの後端が位置するように配置され、キャナル部材１４ｒの後端及びその周囲の左右側縁と後方被覆部１６ｂの下面とが、ホットメルト接着剤で結合されている。
【０１１６】
Ｒパートにおいて、吸収体２４ｉは、シート状の防漏体２２ｅの上側に配置され、その上面を液透過性のコアラップシート２７で被覆されている。防漏体２２とコアラップシート２７とは、吸収体２４ｉが漏れ出ないように、左右両縁でホットメルト接着剤により結合されている。
防漏体２２ｅは、厚さ１８μｍのＰＥ通気性フィルムと目付量１２ｇ／ｍ2のＰＰ／ＰＥスパンボンド不織布との積層体である。
吸収体２４ｉは、ＳＡＰとパルプとの混合物（ＳＡＰ／パルプ＝６０／４０（質量比））を圧縮して厚さ１．５ｍｍとし、目付量２０ｇ／ｍ2のティッシュで被覆したものである。
コアラップシート２７は、目付量１３ｇ／ｍ2の表面親水化処理を施したＰＰ製のスパンボンド不織布である。
【０１１７】
ＳパートとＲパートとの間においては、キャナルシート１２ｈの下面（キャナルシート１２ｈにより構成されるキャナル部の底面の下側面）の一部と吸収体２４ｉの表面（コアラップシート２７の表面）の一部とが、ホットメルト接着剤により、股下部Ｃから前身頃Ｆにかけて延在する線状の底面結合部８４ｇ（長さ１２０ｍｍ、幅５ｍｍ）で結合している。
また、Ｓパートの前方被覆部１６ｂ及び後方被覆部１８ｂの下面と、防漏体２２ｅの上側に折り畳まれた左右縁部（吸収体２４ｉ及びコアラップシート２７の存在しない部分）とは、それぞれ、Ｒパート−前端結合部８６ａ及びＲパート−後端結合部８８ａで、結合されている。
さらに、Ｓパートの左右一対の頭部１０ｋの内側延長部５８の下面と、防漏体２２ｅの上側に折り畳まれた左右縁部（吸収体２４ｉ及びコアラップシート２７の存在しない部分）とは、股下部Ｃにおいて、Ｓパート−Ｒパート側縁結合部９４ａで、結合されている。
これにより、ＳパートとＲパートとは、一体化している。ＳパートとＲパートとの前方及び後方の結合並びに左右縁部での結合は、底面結合部８４ｇでの結合を補強する役割も果たしている。
【０１１８】
図１２（Ｃ）に示されるように、Ｓパートのキャナル部材１４ｒは、弛緩状態では、左右一対の頭部１０ｋの間隔が狭くなり（股下部Ｃにおいては４０ｍｍ程度）、キャナルシート１２ｈにより形成されるキャナル部は深くなって（股下部Ｃにおいて最も深くなる。）、Ｖ字型又はＵ字型の形状を呈する。
吸収体物品１０２の着用時には、少なくとも一部に伸縮性を有する左右一対の頭部１０ｋのみが着用者の肌に接触することになり、吸収体２４ｉを含むＲパートは着用者の肌とは確実に離間する。
【０１１９】
着用者が体液を排出した場合、排出された体液は、キャナルシート１２ｈの上側に受容され、その後、前後方向に移動しつつ、キャナルシート１２ｈの上側から前記通路を通じて吸収体２４ｉの表面に移送される。
【０１２０】
図１３は、本発明の吸収体物品の実施態様の更に別の例を示す模式図である。図１３（Ａ）は、テープ型おむつの態様である吸収体物品に応力を加えて前後方向及び左右方向に引っ張って展開し、ほぼ平面状にした状態を模式的に示した平面展開図である。図１３（Ｂ）は、前記の状態の図１３（Ａ）中のＸＩＩＩＢ−ＸＩＩＩＢ線に沿った横端面図である。図１３（Ｃ）は、吸収体物品に応力を加えない場合の（弛緩状態の）図１３（Ａ）中のＸＩＩＩＣ−ＸＩＩＩＣ線に沿った横端面図である。
【０１２１】
図１３に示される吸収体物品１０３は、図１２に示される本発明の吸収体物品１０２と同様であるが、左右一対の頭部１０ｌが外側延長部６０（左右方向の長さ３０ｍｍ）を有している点で異なる。
外側延長部６０は、前方被覆部１６ｂ及び後方被覆部１８ｂのそれぞれと、キャナル部−前端結合部８０ｃ及びキャナル部−後端結合部８２ｃで結合している。
外側延長部６０は、防漏体２２ｅと、Ｓパート−Ｒパート側縁結合部９４ｂで結合している点で異なる。
図１３に示される吸収体物品１０３は、図１２に示される本発明の吸収体物品１０２と比べて、左右一対の頭部１０ｌの左右方向への移動の自由度が大きい。
【０１２２】
図１４は、本発明の吸収体物品の実施態様の更に別の例を示す模式図である。図１４（Ａ）は、パンツ型おむつの態様である吸収体物品をそのウエストギャザーの左右両側の腰部シール部（図中のＺ及びＺ’）で切断して、吸収体物品に応力を加えて前後方向及び左右方向に引っ張って展開し、ほぼ平面状にした状態の左右方向の中央部における縦端面図である。図１４（Ｂ）は、前記の状態のＳパートの平面図である。図１４（Ｃ）は、前記の状態のＲパートの平面図である。
【０１２３】
図１４に示される吸収体物品１０４は、図１１に示される本発明の吸収体物品１０１と同様であるが、ＳパートとＲパートとが着脱可能となっている点及び各部材の大きさの点で異なる。なお、以下の説明において、各部材の材料は、例示である。
【０１２４】
図１４に示される吸収体物品１０４は、子供用パンツ型おむつ（スーパーＢｉｇサイズ（体重１３〜２５ｋｇ程度用））として構成されている。
以下に説明する吸収体物品１０４の各部材の大きさは、スーパーＢｉｇサイズである場合の一例であり、適宜変更することができるものであり、また、吸収体物品のサイズが異なれば、当然各部材の大きさも変わってくる。また、以下に説明する吸収体物品１０４の各部材の大きさは、特に記載のない限り、緊張状態のものである。
【０１２５】
ＳパートＳＰは、全長が６９０ｍｍ、全幅が３６０ｍｍ（弛緩状態では２００ｍｍ）である。
キャナルシート部材は、全長が５７０ｍｍ、全幅が１４０ｍｍである。キャナルシート１２の折り畳み部分を拡げた幅は、２２０ｍｍである。左右一対の頭部１０の幅は、２０ｍｍである。
前方被覆部１６は、全長が１３０ｍｍである。後方被覆部１８は、全長が１６０ｍｍである。
【０１２６】
ＲパートＲＰは、全長が５００ｍｍ、全幅が２１０ｍｍである。
吸収体２４は、股下部Ｃにおいて幅が狭くなっている砂時計状であり、全長が４３０ｍｍ、全幅が最大１７０ｍｍ、最小９０ｍｍである。
【０１２７】
ＳパートとＲパートとが着脱可能となっている構造について説明する。
Ｒパートのサーフェスシート２６の前端及び後端においては、それぞれ、左右方向の３箇所に、着脱部材３０ｃ（ベルクロテープ（雄））が設けられている。
Ｓパートの前方被覆部１６及び後方被覆部１８においては、図示しないが、それぞれ、下面に、着脱部材３０ｃと着脱自在である着脱部材（ＴＬＺ（雌））が設けられている。
Ｒパートの着脱部材３０ｃが着脱自在に結合する位置は、Ｓパートの前方被覆部１６の前端から３５ｍｍ程度後側、及び、後方被覆部１８の後端から３５ｍｍ程度前側である。
【０１２８】
また、Ｒパートの吸収体２４を被覆するサーフェスシート２６の左右方向の中央部には、股下部Ｃにおいて、前後方向に延在する粘着部材４２ａ（前後方向の長さ１２０ｍｍ、左右方向の幅５ｍｍ）が設けられており、Ｓパートのキャナルシート１２の下面（キャナル部の底面部）と着脱自在となっている。
【０１２９】
このように、着脱部材３０ｃ及びこれと着脱自在な着脱部材と、粘着部材４２ａとの作用により、ＳパートとＲパートとは、着脱可能となっている。
【０１３０】
以上、本発明の吸収体物品を図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。
【０１３１】
本発明の吸収体物品は、紙おむつ（子供用及び大人用）、失禁用品、トレーニングパンツ、女性用生理用品等に好適に用いられる。
【符号の説明】
【０１３２】
１０、１０ａ、１０ｂ、１０ｃ、１０ｄ、１０ｅ、１０ｆ、１０ｇ、１０ｈ、１０ｉ、１０ｊ、１０ｋ、１０ｌ  頭部
１１  弾性糸
１１ａ、１１ｂ、１１ｄ  発泡部材
１１ｃ  ゴムシート
１２、１２ａ、１２ｂ、１２ｃ、１２ｄ、１２ｅ、１２ｆ、１２ｇ、１２ｈ  キャナルシート
１４、１４ａ、１４ｂ、１４ｃ、１４ｄ、１４ｅ、１４ｆ、１４ｇ、１４ｈ、１４ｉ、１４ｊ、１４ｋ、１４ｌ、１４ｍ、１４ｎ、１４ｏ、１４ｐ、１４ｑ、１４ｒ  キャナル部材
１５  液不透過性フィルム
１５ａ、１５ｂ  液不透過性発泡部材
１５ｃ  吸液性発泡部材
１５ｄ  親水性嵩高ウェブ
１６、１６ａ、１６ｂ  前方被覆部
１８、１８ａ、１８ｂ  後方被覆部【０１３３】
２０  ウエストギャザー
２１  シャーリングギャザー
２２、２２ａ、２２ｂ、２２ｃ、２２ｄ、２２ｅ  防漏体
２４、２４ａ、２４ｂ、２４ｃ、２４ｄ、２４ｅ、２４ｆ、２４ｇ、２４ｈ、２４ｉ  吸収体
２６、２６ａ、２６ｂ、２６ｃ  サーフェスシート
２７  コアラップシート
２８、２８ａ、２８ｂ  伸縮部材
３０、３０ａ、３０ｂ、３０ｃ  着脱部材
３２  キャナル底面部
３４  キャナル左側面部
３６  キャナル右側面部
３８  左側被覆部【０１３４】
４０  右側被覆部
４２、４２ａ  粘着部材
４４  前方ポケット部
４６  後方ポケット部
４８  拡散シート
５０  前方スリット
５２  前部スリット群
５４  後方スリット
５６  後部スリット群
５８  内側延長部
６０  外側延長部【０１３５】
７８、７８ａ、９０  結合部
８０、８０ａ、８０ｂ、８０ｃ  キャナル部−前端結合部
８２、８２ａ、８２ｂ、８２ｃ  キャナル部−後端結合部
８４、８４ａ、８４ｂ、８４ｃ、８４ｄ、８４ｅ、８４ｆ、８４ｇ  底面結合部
８６、８６ａ  Ｒパート−前端結合部
８８、８８ａ  Ｒパート−後端結合部
９２、９２ａ  側面結合部
９４、９４ａ、９４ｂ  Ｓパート−Ｒパート側縁結合部
１００、１００ａ、１００ｂ、１００ｃ、１００ｄ、１００ｅ、１００ｆ、１０１、１０２、１０３、１０４  吸収体物品
Ｃ  股下部
Ｆ  前身頃
Ｒ  後身頃
ＲＰ  身体非接触パート
ＳＰ  身体接触パート
Ｚ、Ｚ’  腰部シール部
【図１】
0005828907.tif 000002
【図２】
0005828907.tif 000003
【図３】
0005828907.tif 000004
【図４】
0005828907.tif 000005
【図５】
0005828907.tif 000006
【図６】
0005828907.tif 000007
【図７】
0005828907.tif 000008
【図８】
0005828907.tif 000009
【図９】
0005828907.tif 000010
【図１０】
0005828907.tif 000011
【図１１】
0005828907.tif 000012
【図１２】
0005828907.tif 000013
【図１３】
0005828907.tif 000014
【図１４】
0005828907.tif 000015